(57)【特許請求の範囲】
【請求項１】
画像が視認され得る表示面と、
前記表示面側に向けて光を射出する複数の画素と、
前記複数の画素よりも前記表示面側で各前記画素に対して少なくとも１つずつ対応して設けられた前記表示面側に向かって凸となるレンズで構成されている複数の光学素子と、
前記複数の画素及び前記複数の光学素子の間に各前記光学素子に対応して設けられ、各前記画素から前記表示面側に向かう前記光を遮断する遮断状態と前記光を通過させる通過状態とをそれぞれ独立して切り替えられる複数の第１及び第２シャッタと、
前記第１及び第２シャッタの状態をそれぞれ制御するための第１及び第２電極と、
前記第１シャッタが遮断状態のときには前記第２シャッタが透過状態となり、前記第２シャッタが遮断状態のときには前記第１シャッタが透過状態となるように前記複数の第１及び第２シャッタの状態を制御するシャッタ制御部と、
を有し、
前記第１電極と前記第２電極とは、平面視で第１の方向に交互に並んで配置され、かつ、前記第１の方向に直交する第２の方向に交互に並んで配置される
電気光学装置。
【請求項２】
複数の第１フレームを含む第１の画像と、複数の第２フレームを含む第２の画像とを前記複数の画素に形成させる画像制御部を有し、
前記シャッタ制御部は、前記第１シャッタが遮断状態となる第１の状態と、前記第２シャッタが遮断状態となる第２の状態とを交互に切り替え、
前記画像制御部は、前記第１の状態において前記第１フレームを前記複数の画素に形成させ、前記第２の状態において前記第２フレームを前記複数の画素に形成させる
請求項１に記載の電気光学装置。
【請求項３】
前記第１及び第２シャッタは、それぞれ前記第１及び第２電極、当該第１及び第２電極に対向する他の電極、及び、前記第１及び第２電極と前記他の電極との間に介在する液晶により形成される
請求項１又は２に記載の電気光学装置。
【請求項４】
画像が視認され得る表示面と、
前記表示面側に向けて光を射出する複数の画素と、
前記複数の画素よりも前記表示面側で各前記画素に対して少なくとも１つずつ対応して設けられた前記表示面側に向かって凸となるレンズで構成されている複数の光学素子と、
前記複数の画素及び前記複数の光学素子の間に各前記光学素子に対応して設けられ、各前記画素から前記表示面側に向かう前記光を遮断する遮断状態と前記光を通過させる通過状態とをそれぞれ独立して切り替えられる複数の第１及び第２シャッタと、
前記第１及び第２シャッタの状態をそれぞれ制御するための第１及び第２電極と、
前記第１シャッタが遮断状態のときには前記第２シャッタが透過状態となり、前記第２シャッタが遮断状態のときには前記第１シャッタが透過状態となるように前記複数の第１及び第２シャッタの状態を制御するシャッタ制御部と、
を有し、
前記第１電極と前記第２電極とは、平面視で第１の方向に交互に並んで配置され、かつ、前記第１の方向に直交する第２の方向に交互に並んで配置される電気光学装置が、
前記第１シャッタが遮断状態となる第１の状態と、前記第２シャッタが遮断状態となる第２の状態とを交互に切り替え、前記第１の状態において第１の画像を前記複数の画素に形成させ、前記第２の状態において第２の画像を前記複数の画素に形成させる
表示方法。
【請求項５】
請求項１乃至３のいずれか一項に記載の電気光学装置を表示部として有する
電子機器。
【発明の詳細な説明】
【技術分野】
【０００１】
本発明は、電気光学装置、表示方法及び電子機器に関する。
【背景技術】
【０００２】
従来、電気光学装置の１つとして、複数の方向から見たときに、それぞれの視方向ごとに異なる画像を表示（以下、指向性表示と呼ぶ）することができる表示装置が知られている。このような表示装置としては、開口部と遮光部とを有するバリアを介して複数の視点のそれぞれに、互いに異なる画像を表示することができるものがある（例えば、特許文献１参照）。
【０００３】
【特許文献１】特開２００７−１０８５０１号公報（第４頁〜第５頁、図１８）
【発明の開示】
【発明が解決しようとする課題】
【０００４】
ここで、画像を形成する表示パネルと上記のバリアとを有する表示装置で、２つの方向に指向性表示を行う仕組みについて、断面図を用いて説明する。表示パネル６００は、図１８に示すように、第１の画像を表示する第１の画素６０１と、第２の画像を表示する第２の画素６０３とを有している。バリア６０５の遮光部６０７は、第１の画素６０１の一部６０１ａと、第２の画素６０３の一部６０３ａとに重なっている。つまり、遮光部６０７同士間に位置する開口部６０９は、第１の画素６０１の他部６０１ｂと、第２の画素６０３の他部６０３ｂとに重なる領域に設けられている。
【０００５】
第１の画素６０１から射出された光は、開口部６０９を介して第１の範囲６１１に及ぶ。また、第２の画素６０３から射出された光は、開口部６０９を介して第２の範囲６１３に及ぶ。つまり、第１の範囲６１１内に視点がある場合、その視点から第１の画像が視認され得る。第２の範囲６１３内に視点がある場合、その視点から第２の画像が視認され得る。なお、第１の範囲６１１及び第２の範囲６１３は、互いに重なる範囲６１５を有している。範囲６１５内にある視点からは、第１の画像と第２の画像とが重畳した状態で視認される。
第１の範囲６１１から範囲６１５を除いた範囲６１９ａ内にある視点からは、第１の画像だけが視認され得る。同様に、第２の範囲６１３から範囲６１５を除いた範囲６１９ｂ内にある視点からは、第２の画像だけが視認され得る。範囲６１９ａ及び範囲６１９ｂは、それぞれ、適視範囲６１９ａ及び適視範囲６１９ｂと呼ばれる。
【０００６】
ところで、表示パネル６００では、第１の画素６０１及び第２の画素６０３を含む複数の画素が、視方向ごとに、すなわち第１の範囲６１１及び第２の範囲６１３ごとに区分されている。従って、表示パネル６００では、表示パネル６００と同じサイズで同じ画素数の他の表示パネルに比較して、第１の画像及び第２の画像のそれぞれの表示における解像度が低くなる。表示における解像度が低くなると、表示の精細さが損なわれやすくなるので、表示品位が低下しやすくなる。
【０００７】
表示における解像度を高めるには、各画素の面積を縮小することによって複数の画素の密度（以下、画素密度と呼ぶ）を高めればよい。しかしながら、指向性表示を行うことができる従来の表示装置では、複数の画素が視方向ごとに区分されているので、視方向の数に応じて、画素密度を高めることが困難となる。
【０００８】
つまり、従来の表示装置では、表示品位の向上を図ることが困難であるという未解決の課題がある。
【課題を解決するための手段】
【０００９】
本発明は、上述の課題の少なくとも一部を解決するためになされたものであり、以下の形態又は適用例として実現され得る。
【００１０】
本発明の一側面によれば、画像が視認され得る表示面と、表示面側に向けて光を射出する複数の画素と、複数の画素よりも表示面側で各画素に対して少なくとも１つずつ対応して設けられた複数の光学素子と、複数の画素及び複数の光学素子の間に各光学素子に対応して設けられ、各画素から表示面側に向かう光を遮断する遮断状態と光を通過させる通過状態とをそれぞれ独立して切り替えられる複数の第１及び第２シャッタと、第１及び第２シャッタの状態をそれぞれ制御するための第１及び第２電極と、第１シャッタが遮断状態のときには第２シャッタが透過状態となり、第２シャッタが遮断状態のときには第１シャッタが透過状態となるように複数の第１及び第２シャッタの状態を制御するシャッタ制御部と、を有し、第１電極と第２電極とは、平面視で第１の方向に交互に並んで配置され、かつ、第１の方向に直交する第２の方向に交互に並んで配置される電気光学装置が提供される。
【００１３】
上記の電気光学装置によれば、複数の画素を指向性表示における範囲ごとに区分する必要がないので、画素密度を高めやすくすることができる。この結果、指向性表示のそれぞれの表示における解像度を高めやすくすることができ、指向性表示のそれぞれの表示品位を向上させやすくすることができる。また、平面視で第１及び第２の方向に対して傾斜した方向における解像度が向上し、指向性表示のそれぞれの表示品位が一層向上する。
【００１４】
上記の電気光学装置は、複数の第１フレームを含む第１の画像と、複数の第２フレームを含む第２の画像とを複数の画素に形成させる画像制御部を有し、シャッタ制御部は、第１シャッタが遮断状態となる第１の状態と、第２シャッタが遮断状態となる第２の状態とを交互に切り替え、画像制御部は、第１の状態において第１フレームを複数の画素に形成させ、第２の状態において第２フレームを複数の画素に形成させるように構成されていてもよい。
かかる構成により、動画を構成する第１及び第２の画像をそれぞれ異なる方向で視認可能に表示することができる。
【００１６】
上記の第１及び第２シャッタは、それぞれ第１及び第２電極、当該第１及び第２電極に対向する他の電極、及び、第１及び第２電極と他の電極との間に介在する液晶により形成されていてもよい。
かかる構成により、電極に印加する電流を制御することで液晶を駆動し、光の変調状態を変化させ、シャッタを駆動制御することができる。
【００１８】
上記の各光学素子は、表示面側に向かって凸となるレンズで構成されていてもよい。
【００１９】
かかる構成によれば、各光学素子が表示面側に向かって凸となるレンズで構成されているので、レンズに入射された光の進行方向を規制することができる。このため、各シャッタ群を構成する各シャッタを通過して入射された光を、各シャッタ群におけるシャッタごとに異なる範囲に向けて射出することができる。
【００２２】
また、本発明の他の一側面によれば、画像が視認され得る表示面と、表示面側に向けて光を射出する複数の画素と、複数の画素よりも表示面側で各画素に対して少なくとも１つずつ対応して設けられた複数の光学素子と、複数の画素及び複数の光学素子の間に各光学素子に対応して設けられ、各画素から表示面側に向かう光を遮断する遮断状態と光を通過させる通過状態とをそれぞれ独立して切り替えられる複数の第１及び第２シャッタと、第１及び第２シャッタの状態をそれぞれ制御するための第１及び第２電極と、第１シャッタが遮断状態のときには第２シャッタが透過状態となり、第２シャッタが遮断状態のときには第１シャッタが透過状態となるように複数の第１及び第２シャッタの状態を制御するシャッタ制御部と、を有し、第１電極と第２電極とは、平面視で第１の方向に交互に並んで配置され、かつ、第１の方向に直交する第２の方向に交互に並んで配置される電気光学装置が、第１シャッタが遮断状態となる第１の状態と、第２シャッタが遮断状態となる第２の状態とを交互に切り替え、第１の状態において第１の画像を複数の画素に形成させ、第２の状態において第２の画像を複数の画素に形成させる表示方法が提供される。
【００２３】
上記の表示方法によれば、複数の画素を指向性表示における範囲ごとに区分する必要がないので、画素密度を高めやすくすることができる。この結果、指向性表示のそれぞれの表示における解像度を高めやすくすることができ、指向性表示のそれぞれの表示品位を向上させやすくすることができる。また、平面視で第１及び第２の方向に対して傾斜した方向における解像度が向上し、指向性表示のそれぞれの表示品位が一層向上する。
【００２５】
また、本発明の他の一側面によれば、上記の電気光学装置を表示部として有する電子機器が提供される。
【００２６】
上記の電子機器によれば、複数の画素を指向性表示における範囲ごとに区分する必要がないので、画素密度を高めやすくすることができる。この結果、指向性表示のそれぞれの表示における解像度を高めやすくすることができ、指向性表示のそれぞれの表示品位を向上させやすくすることができる。また、平面視で第１及び第２の方向に対して傾斜した方向における解像度が向上し、指向性表示のそれぞれの表示品位が一層向上する。
【発明を実施するための最良の形態】
【００２７】
実施形態について、電気光学装置の１つである表示装置を例に、図面を参照しながら説明する。
実施形態における表示装置１は、図１に示すように、表示パネル３と、照明装置５と、制御部６とを有している。
【００２８】
ここで、表示パネル３には、複数の画素７が設定されている。複数の画素７は、表示領域８内で、図中のＸ方向及びＹ方向に配列しており、Ｘ方向を行方向とし、Ｙ方向を列方向とするマトリクスＭを構成している。表示装置１は、照明装置５から表示パネル３に入射された光を、表示パネル３に設定されている複数の画素７から選択的に表示面９を介して表示パネル３の外に射出することで、表示面９に画像を表示することができる。なお、表示領域８とは、画像が表示され得る領域である。図１では、構成をわかりやすく示すため、画素７が誇張され、且つ画素７の個数が減じられている。
【００２９】
表示パネル３は、図１中のＡ−Ａ線における断面図である図２に示すように、液晶パネル１１と、シャッタパネル１３と、レンズアレイ基板１５と、偏光板１７ａと、偏光板１７ｂと、偏光板１７ｃとを有している。
液晶パネル１１は、駆動素子基板２１と、対向基板２３と、液晶２５とを有している。
駆動素子基板２１には、表示面９側すなわち液晶２５側に、複数の画素７のそれぞれに対応して、後述するスイッチング素子などが設けられている。
【００３０】
対向基板２３は、駆動素子基板２１よりも表示面９側で駆動素子基板２１に対向し、且つ駆動素子基板２１との間に隙間を有した状態で設けられている。対向基板２３には、表示パネル３における表示面９の裏面に相当する面である底面２７側すなわち液晶２５側に、後述する対向電極などが設けられている。
【００３１】
液晶２５は、駆動素子基板２１及び対向基板２３の間に介在しており、表示パネル３の周縁よりも内側で表示領域８を囲むシール材２９によって、駆動素子基板２１及び対向基板２３の間に封止されている。なお、本実施形態では、液晶２５として、ＴＮ（Twisted Nematic）型が採用されている。
【００３２】
シャッタパネル１３は、液晶パネル１１よりも表示面９側に設けられており、シャッタ電極基板３１と、対向基板３３と、液晶３５とを有している。
シャッタ電極基板３１は、対向基板２３よりも表示面９側で対向基板２３に対向しており、表示面９側すなわち液晶３５側に、後述するシャッタ電極などが設けられている。
対向基板３３は、シャッタ電極基板３１よりも表示面９側でシャッタ電極基板３１に対向し、且つシャッタ電極基板３１との間に隙間を有した状態で設けられている。対向基板３３には、底面２７側すなわち液晶３５側に、後述する共通電極などが設けられている。
【００３３】
液晶３５は、シャッタ電極基板３１及び対向基板３３の間に介在しており、表示パネル３の周縁よりも内側で表示領域８を囲むシール材３７によって、シャッタ電極基板３１及び対向基板３３の間に封止されている。なお、本実施形態では、液晶３５として、ＴＮ（Twisted Nematic）型が採用されている。
【００３４】
レンズアレイ基板１５は、対向基板３３よりも表示面９側で対向基板３３に対向した状態で設けられており、表示面９側に向けられた外向面１５ａを有している。このレンズアレイ基板１５は、表示面９側に向かって凸となる複数のシリンドリカルレンズ１９を有する所謂レンチキュラレンズを構成している。複数のシリンドリカルレンズ１９は、レンズアレイ基板１５の外向面１５ａに設けられている。なお、図２では、構成をわかりやすく示すため、シリンドリカルレンズ１９が誇張され、且つシリンドリカルレンズ１９の個数が減じられている。
【００３５】
偏光板１７ａは、駆動素子基板２１よりも底面２７側に設けられている。偏光板１７ｂは、液晶パネル１１の対向基板２３とシャッタパネル１３のシャッタ電極基板３１との間に介在している。偏光板１７ｃは、シャッタパネル１３の対向基板３３よりも表示面９側に設けられている。
表示装置１では、偏光板１７ａ及び１７ｂは、偏光板１７ａにおける光の透過軸の方向と、偏光板１７ｂにおける光の透過軸の方向とが、平面視で互いに直交する方向に設定されている。また、偏光板１７ｃは、偏光板１７ｂにおける光の透過軸の方向が、平面視で偏光板１７ｃにおける光の透過軸の方向に対して直交する方向に設定されている。これらの偏光板１７ａ、１７ｂ及び１７ｃは、それぞれ、透過軸の方向に偏光軸を有する光を透過させることができる。
【００３６】
照明装置５は、表示パネル３の底面２７側に設けられており、導光板４１と、光源４３とを有している。導光板４１は、図２で見て表示パネル３の下側に設けられており、表示パネル３の底面２７に対向する光射出面４５ｂを有している。
光源４３は、例えば、ＬＥＤ（Light Emitting Diode）や冷陰極管などが採用され、図２で見て導光板４１の側面４５ａの右方に設けられている。
【００３７】
光源４３からの光は、導光板４１の側面４５ａに入射される。導光板４１に入射された光は、導光板４１の中で反射を繰り返しながら光射出面４５ｂから射出される。光射出面４５ｂから射出された光は、表示パネル３の底面２７から、偏光板１７ａを介して表示パネル３に入射される。なお、導光板４１には、必要に応じて、光射出面４５ｂに拡散板が設けられ、底面４５ｃに反射板が設けられる。
【００３８】
表示パネル３に設定されている複数の画素７は、それぞれ、表示面９から射出する光の色が、図３に示すように、赤系（Ｒ）、緑系（Ｇ）及び青系（Ｂ）のうちの１つに設定されている。つまり、マトリクスＭを構成する複数の画素７は、Ｒの光を射出する画素７ｒと、Ｇの光を射出する画素７ｇと、Ｂの光を射出する画素７ｂとを含んでいる。
【００３９】
ここで、Ｒの色は、純粋な赤の色相に限定されず、橙等を含む。Ｇの色は、純粋な緑の色相に限定されず、青緑や黄緑を含む。Ｂの色は、純粋な青の色相に限定されず、青紫や青緑等を含む。他の観点から、Ｒの色を呈する光は、光の波長のピークが、可視光領域で５７０ｎｍ以上の範囲にある光であると定義され得る。また、Ｇの色を呈する光は、光の波長のピークが５００ｎｍ〜５６５ｎｍの範囲にある光であると定義され得る。Ｂの色を呈する光は、光の波長のピークが４１５ｎｍ〜４９５ｎｍの範囲にある光であると定義され得る。
【００４０】
マトリクスＭでは、Ｙ方向に沿って並ぶ複数の画素７が、１つの画素列５１を構成している。また、Ｘ方向に沿って並ぶ複数の画素７が、１つの画素行５３を構成している。１つの画素列５１内の各画素７は、光の色がＲ、Ｇ及びＢのうちの１つに設定されている。つまり、マトリクスＭは、複数の画素７ｒがＹ方向に配列した画素列５１ｒと、複数の画素７ｇがＹ方向に配列した画素列５１ｇと、複数の画素７ｂがＹ方向に配列した画素列５１ｂとを有している。そして、マトリクスＭでは、画素列５１ｒ、画素列５１ｇ及び画素列５１ｂが、この順でＸ方向に沿って反復して並んでいる。
【００４１】
ここで、液晶パネル１１及びシャッタパネル１３、並びにレンズアレイ基板１５のそれぞれの構成について、詳細を説明する。
液晶パネル１１の駆動素子基板２１は、図３中のＣ−Ｃ線における断面図である図４に示すように、第１基板６１を有している。第１基板６１は、例えばガラスや石英などの光透過性を有する材料で構成されており、表示面９側に向けられた第１面６３ａと、底面２７側に向けられた第２面６３ｂとを有している。
【００４２】
第１基板６１の第１面６３ａには、ゲート絶縁層６５が設けられている。ゲート絶縁層６５の表示面９側には、絶縁層６７が設けられている。絶縁層６７の表示面９側には、配向膜６９が設けられている。
また、駆動素子基板２１には、各画素７に対応して、スイッチング素子の１つであるＴＦＴ（Thin Film Transistor）素子７１と、画素電極７３とが、第１基板６１の第１面６３ａ側に設けられている。
ＴＦＴ素子７１は、ゲート電極７５と、半導体層７７と、ソース電極７９と、ドレイン電極８１とを有している。
【００４３】
ゲート電極７５は、第１基板６１の第１面６３ａに設けられており、ゲート絶縁層６５によって表示面９側から覆われている。なお、ゲート電極７５の材料としては、例えば、モリブデン、タングステン、クロムなどの金属や、これらを含む合金などが採用され得る。また、ゲート絶縁層６５の材料としては、例えば、ＳｉＯやＳｉＮなどの光透過性を有する材料が採用され得る。
半導体層７７は、例えばアモルファスシリコンで構成されており、ゲート絶縁層６５を挟んでゲート電極７５に対向する位置に設けられている。
【００４４】
ソース電極７９は、ゲート絶縁層６５の表示面９側に設けられており、一部が半導体層７７に重なっている。ドレイン電極８１は、ゲート絶縁層６５の表示面９側に設けられており、一部が半導体層７７に重なっている。なお、ソース電極７９やドレイン電極８１の材料としては、例えば、金、銀、銅、アルミニウムなどの金属や、これらを含む合金などが採用され得る。
上記の構成を有するＴＦＴ素子７１は、半導体層７７がゲート電極７５と、ソース電極７９及びドレイン電極８１との間に位置する所謂ボトムゲート型である。このＴＦＴ素子７１は、絶縁層６７によって表示面９側から覆われている。なお、絶縁層６７の材料としては、例えば、ＳｉＯ、ＳｉＮ、アクリル系の樹脂などの光透過性を有する材料が採用され得る。
【００４５】
画素電極７３は、例えばＩＴＯ（Indium Tin Oxide）等の酸化導電膜や、Ｍｇ及びＡｇ等の金属が光透過性を有するように薄膜化したものなどの光透過性を有する材料で構成され、絶縁層６７の表示面９側に設けられている。画素電極７３は、絶縁層６７に設けられたコンタクトホール８３を介してドレイン電極８１につながっている。
配向膜６９は、例えばポリイミドなどの光透過性を有する材料で構成されており、絶縁層６７及び画素電極７３を表示面９側から覆っている。なお、配向膜６９には、配向処理が施されている。
【００４６】
対向基板２３は、第２基板８５を有している。第２基板８５は、例えばガラスや石英などの光透過性を有する材料で構成されており、表示面９側に向けられた外向面８６ａと、底面２７側に向けられた対向面８６ｂとを有している。
第２基板８５の対向面８６ｂには、各画素７を区画する光吸収層８７が領域８８にわたって設けられている。表示装置１では、各画素７は、光吸収層８７によって囲まれた領域であると定義され得る。光吸収層８７は、例えば、カーボンブラックやクロムなどの光吸収性が高い材料を含有する樹脂などで構成されており、平面視で格子状に設けられている。
【００４７】
また、第２基板８５の対向面８６ｂには、光吸収層８７によって囲まれた各領域、すなわち各画素７の領域を底面２７側から覆うカラーフィルタ８９が設けられている。
ここで、カラーフィルタ８９は、入射された光のうち所定の波長域の光を透過させることができる。カラーフィルタ８９は、画素７ｒ、画素７ｇ及び画素７ｂごとに異なる色に着色された樹脂などで構成されている。画素７ｒに対応するカラーフィルタ８９は、Ｒの光を透過させることができる。画素７ｇに対応するカラーフィルタ８９はＧの光を透過させ、画素７ｂに対応するカラーフィルタ８９はＢの光を透過させることができる。なお、以下において、各カラーフィルタ８９に対してＲ、Ｇ及びＢが識別される場合に、カラーフィルタ８９ｒ、８９ｇ及び８９ｂという表記が用いられる。
【００４８】
光吸収層８７及びカラーフィルタ８９の底面２７側には、オーバーコート層９１が設けられている。オーバーコート層９１は、光透過性を有する樹脂などで構成されており、光吸収層８７及びカラーフィルタ８９を底面２７側から覆っている。
オーバーコート層９１の底面２７側には、対向電極９３が設けられている。対向電極９３は、例えばＩＴＯ等の酸化導電膜や、Ｍｇ及びＡｇ等の金属が光透過性を有するように薄膜化したものなどの光透過性を有する材料で構成されている。
【００４９】
対向電極９３は、マトリクスＭを構成する複数の画素７間にわたって一連した状態で設けられている。つまり、対向電極９３は、マトリクスＭを構成する複数の画素７に平面視で重なる領域に設けられており、複数の画素７間にわたって共通して機能する。なお、対向電極９３は、図示しない共通線につながっている。
対向電極９３の底面２７側には、配向膜９５が設けられている。配向膜９５は、例えばポリイミドなどの光透過性を有する材料で構成されており、対向電極９３を底面２７側から覆っている。配向膜９５には、配向処理が施されている。
【００５０】
駆動素子基板２１及び対向基板２３の間に介在する液晶２５は、配向膜６９と配向膜９５との間に介在している。表示装置１では、図２に示すシール材２９は、図４に示す第１基板６１の第１面６３ａと、第２基板８５の対向面８６ｂとによって挟持されている。つまり、表示装置１では、液晶２５は、第１基板６１及び第２基板８５によって保持されている。なお、シール材２９は、配向膜６９及び配向膜９５の間に設けられていてもよい。この場合、液晶２５は、駆動素子基板２１及び対向基板２３に保持されているとみなされ得る。
【００５１】
シャッタパネル１３のシャッタ電極基板３１は、図４に示すように、第３基板９７を有している。第３基板９７は、例えばガラスや石英などの光透過性を有する材料で構成されており、表示面９側に向けられた第１面９８ａと、底面２７側に向けられた第２面９８ｂとを有している。
第３基板９７の第１面９８ａには、シャッタ電極９９と配向膜１０１とが設けられている。シャッタ電極９９は、例えばＩＴＯ等の酸化導電膜や、Ｍｇ及びＡｇ等の金属が光透過性を有するように薄膜化したものなどの光透過性を有する材料で構成され、第３基板９７の第１面９８ａに設けられている。
配向膜１０１は、例えばポリイミドなどの光透過性を有する材料で構成されており、シャッタ電極９９を表示面９側から覆っている。
【００５２】
シャッタパネル１３の対向基板３３は、第４基板１０３を有している。第４基板１０３は、例えばガラスや石英などの光透過性を有する材料で構成されており、表示面９側に向けられた外向面１０４ａと、底面２７側に向けられた対向面１０４ｂとを有している。
第４基板１０３の対向面１０４ｂには、共通電極１０５と配向膜１０７とが設けられている。共通電極１０５は、例えばＩＴＯ等の酸化導電膜や、Ｍｇ及びＡｇ等の金属が光透過性を有するように薄膜化したものなどの光透過性を有する材料で構成され、第４基板１０３の対向面１０４ｂに設けられている。
配向膜１０７は、例えばポリイミドなどの光透過性を有する材料で構成されており、共通電極１０５を底面２７側から覆っている。
なお、配向膜１０１及び配向膜１０７には、それぞれ配向処理が施されている。
【００５３】
シャッタ電極基板３１及び対向基板３３の間に介在する液晶３５は、配向膜１０１と配向膜１０７との間に介在している。表示装置１では、図２に示すシール材３７は、図４に示す第３基板９７の第１面９８ａと、第４基板１０３の対向面１０４ｂとによって挟持されている。つまり、表示装置１では、液晶３５は、第３基板９７及び第４基板１０３によって保持されている。なお、シール材３７は、配向膜１０１及び配向膜１０７の間に設けられていてもよい。この場合、液晶３５は、シャッタ電極基板３１及び対向基板３３に保持されているとみなされ得る。
上記の構成を有するシャッタパネル１３は、第３基板９７の第２面９８ｂが液晶パネル１１の第２基板８５の外向面８６ａに向けられた状態で、第３基板９７の第２面９８ｂが、偏光板１７ｂを介して外向面８６ａに、光透過性を有する図示しない接着剤で接着されている。
【００５４】
レンズアレイ基板１５は、例えばアクリル系の樹脂やエポキシ系の樹脂などの光透過性を有する材料で構成されている。
レンズアレイ基板１５の各シリンドリカルレンズ１９は、図４中のＤ−Ｄ線における断面図である図５に示すように、各画素７に対応して、各画素７に平面視で重なる領域に設けられている。
レンズアレイ基板１５は、底面２７側に向けられた対向面１５ｂがシャッタパネル１３の第４基板１０３の外向面１０４ａに向けられた状態で、対向面１５ｂが光透過性を有する図示しない接着剤を介して偏光板１７ｃに貼り付けられている。
【００５５】
各シリンドリカルレンズ１９は、平面図である図６に示すように、Ｙ方向に沿って延びる仮想線Ｌに対して角度θの傾きを有する方向に沿って延びている。これにより、複数の画素７の配列方向であるＹ方向と、各シリンドリカルレンズ１９が延びる方向とをずらすことができる。
ここで、照明装置５からの光は、複数の画素７を透過するときに干渉を発生することがある。干渉した光がレンズアレイ基板１５に入射されると、各シリンドリカルレンズ１９で再び干渉が発生して、表示パネル３に形成される画像に干渉縞が出現することがある。表示装置１では、各シリンドリカルレンズ１９が延びる方向がＹ方向からずれているので、表示パネル３の画像に干渉縞が出現することを低く抑えることができる。
【００５６】
なお、各シリンドリカルレンズ１９は、Ｙ方向に配列する複数の画素７にわたる長さを有している。また、複数のシリンドリカルレンズ１９は、表示領域８にわたって、Ｘ方向に配列している。
【００５７】
シャッタパネル１３のシャッタ電極９９は、図５に示すように、画素７ごとに第１電極９９ａと第２電極９９ｂとに区分されている。各画素７に対応する第１電極９９ａと第２電極９９ｂとは、対応する画素７に対向した状態で設けられており、互いに独立している。
【００５８】
表示装置１では、第１電極９９ａと第２電極９９ｂとが、平面図である図７に示すように、Ｘ方向に交互に並んでいる。複数の第１電極９９ａは、第１配線１１９ａを介して互いにつながっている。複数の第２電極９９ｂは、第２配線１１９ｂを介して互いにつながっている。
また、第１電極９９ａ及び第２電極９９ｂは、それぞれ、Ｙ方向に沿って並ぶ複数の画素７間にわたって一連した状態で設けられている。つまり、各画素７に対応する第１電極９９ａと第２電極９９ｂとは、対応する画素７が含まれる１本の画素列５１（図３）に平面視で重なっている。
【００５９】
共通電極１０５は、マトリクスＭを構成する複数の画素７間にわたって一連した状態で設けられている。上述したように、各画素７には第１電極９９ａと第２電極９９ｂとが対向し、且つ第１電極９９ａと第２電極９９ｂとがＸ方向に交互に並んでいる。従って、共通電極１０５は、Ｘ方向に交互に並ぶ複数の第１電極９９ａ及び複数の第２電極９９ｂ間にわたって共通して機能する。
【００６０】
シャッタパネル１３では、各第１電極９９ａと共通電極１０５との間、及び各第２電極９９ｂと共通電極１０５との間のそれぞれに、独立して電界を発生させることができる。従って、各第１電極９９ａと共通電極１０５とによって挟まれた液晶３５、及び各第２電極９９ｂと共通電極１０５とによって挟まれた液晶３５のそれぞれの配向状態を独立して変化させることができる。これにより、液晶パネル１１の各画素７からシャッタパネル１３に入射された光を、各第１電極９９ａと共通電極１０５とによって挟まれた液晶３５、及び各第２電極９９ｂと共通電極１０５とによって挟まれた液晶３５のそれぞれで変調することができる。この結果、表示装置１では、シャッタパネル１３を、液晶パネル１１の各画素７から表示面９側に射出された光のシャッタとして機能させることができる。
【００６１】
なお、表示装置１では、図５に示すように、シャッタパネル１３において各第１電極９９ａと共通電極１０５とが重なる領域が第１シャッタ１２１と呼ばれ、各第２電極９９ｂと共通電極１０５とが重なる領域が第２シャッタ１２３と呼ばれる。また、各画素７に対向する第１シャッタ１２１と第２シャッタ１２３との組がシャッタ群１２５と呼ばれる。
各シリンドリカルレンズ１９は、各画素７に対応する各シャッタ電極９９の第１電極９９ａ及び第２電極９９ｂに平面視で重なっている。従って、各シリンドリカルレンズ１９は、各シャッタ群１２５の第１シャッタ１２１と第２シャッタ１２３とに平面視で重なっている。
【００６２】
ここで、前述したＴＦＴ素子７１は、図４で見て左側の領域８８内に設けられており、ドレイン電極８１が領域８８内から画素７の領域内に延長されている。なお、Ｘ方向に並ぶ複数のゲート電極７５は、ゲート線Ｔ（図８）を介して互いにつながっている。また、Ｙ方向に並ぶ複数のソース電極７９は、ソース線Ｓ（図５）を介して互いにつながっている。また、各画素電極７３は、平面視で周縁部が領域８８内に及んでいる。
【００６３】
表示装置１では、駆動素子基板２１は、図８に示すように、ｎ本（ｎは、２以上の整数）のゲート線Ｔと、ｍ本（ｍは、２以上の整数）のソース線Ｓとを有している。なお、以下においてｎ本のゲート線Ｔ及びｍ本のソース線Ｓのそれぞれが識別される場合に、ゲート線Ｔ（ｎ）という表記と、ソース線Ｓ（ｍ）という表記とが用いられる。
【００６４】
ｎ本のゲート線Ｔ及びｍ本のソース線Ｓは、格子状に配線されている。ｎ本のゲート線Ｔは、Ｙ方向に互いに間隔をあけた状態で、Ｘ方向に沿って延びている。ｍ本のソース線Ｓは、Ｘ方向に互いに間隔をあけた状態で、Ｙ方向に沿って延びている。各画素７は、各ゲート線Ｔと各ソース線Ｓとの交差に対応して設定されている。
各ソース線Ｓは、Ｙ方向に沿って並ぶ複数の画素７すなわち各画素列５１に対応している。各ゲート線Ｔは、Ｘ方向に沿って並ぶ複数の画素７すなわち各画素行５３に対応している。
【００６５】
複数のソース線Ｓは、図５に示すように、ゲート絶縁層６５上に設けられており、絶縁層６７によって表示面９側から覆われている。
なお、ゲート電極７５は、Ｘ方向に沿って並ぶ複数の画素７間にわたって一連したゲート線Ｔとして設けられている。そして、画素７ごとにゲート線Ｔに対向する位置に半導体層７７が設けられている。各ゲート線Ｔにおいて、平面視で半導体層７７に重なる領域がゲート電極７５であると定義され得る。
【００６６】
制御部６は、表示装置１のブロック図である図９に示すように、光源制御部１３１と、画像制御部１３３と、シャッタ制御部１３５とを有している。
光源制御部１３１は、光源４３への電力の供給と、電力の遮断とを制御する。
画像制御部１３３は、各ゲート線Ｔ（ｎ）へのゲート信号の供給と、各ソース線Ｓ（ｍ）へのソース信号の供給とを制御する。
【００６７】
シャッタ制御部１３５は、シャッタパネル１３のＯＮ状態とＯＦＦ状態との切り替えを、第１シャッタ１２１及び第２シャッタ１２３ごとに制御する。シャッタパネル１３のＯＮ状態とＯＦＦ状態との切り替えは、第１電極９９ａ及び第２電極９９ｂのそれぞれに対する駆動信号の供給を制御することにより行われる。シャッタ制御部１３５から第１電極９９ａに駆動信号が供給されると、第１シャッタ１２１がＯＮ状態となる。シャッタ制御部１３５から第２電極９９ｂに駆動信号が供給されると、第２シャッタ１２３がＯＮ状態となる。
なお、液晶パネル１１の対向電極９３及びシャッタパネル１３の共通電極１０５は、グランド電位に保たれる。
【００６８】
上記の構成を有する表示装置１では、光源制御部１３１が光源４３に電力を供給することで照明装置５から表示パネル３に光を照射した状態で、液晶２５の配向状態を画素７ごとに変化させることにより、表示が制御される。液晶２５の配向状態は、ＴＦＴ素子７１のＯＦＦ状態及びＯＮ状態を切り替えることによって変化し得る。
【００６９】
図１０（ａ）は、ＴＦＴ素子７１がＯＦＦ状態のときの偏光状態を示す図であり、図１０（ｂ）は、ＴＦＴ素子７１がＯＮ状態のときの偏光状態を示す図である。
表示装置１では、偏光板１７ａの透過軸の方向１４１は、図１０（ａ）及び図１０（ｂ）に示すように、偏光板１７ｂの透過軸の方向１４３に平面視で直交している。配向膜６９の配向方向１４５は、平面視で透過軸の方向１４３に直交している。配向膜９５の配向方向１４７は、平面視で透過軸の方向１４３に沿っている。
なお、図１０（ａ）及び図１０（ｂ）において、Ｘ'方向及びＹ'方向は、Ｘ'方向が平面視で偏光板１７ｂの透過軸の方向１４３に沿った方向を示し、Ｙ'方向がＸＹ平面内でＸ'方向に直交する方向を示している。Ｘ'方向及びＹ'方向は、ＸＹ平面内で互いに直交する任意の２方向である。
【００７０】
照明装置５から偏光板１７ａに入射された入射光は、偏光板１７ａの透過軸の方向１４１すなわちＹ'方向に沿った偏光軸を有する直線偏光１４９として液晶２５に入射される。
液晶２５に入射された直線偏光１４９は、ＴＦＴ素子７１がＯＦＦ状態のときに、図１０（ａ）に示すように、液晶２５の旋光性によってＸ'方向に沿った偏光軸を有する直線偏光１５１として偏光板１７ｂに向けて射出される。偏光板１７ｂに向けて射出された直線偏光１５１は、偏光軸の方向が偏光板１７ｂの透過軸の方向１４３に沿っているため、偏光板１７ｂを透過する。
【００７１】
他方で、ＴＦＴ素子７１がＯＮ状態のときに、直線偏光１４９は、図１０（ｂ）に示すように、偏光状態が維持されたまま直線偏光１４９として偏光板１７ｂに向けて射出される。偏光板１７ｂに向けて射出された直線偏光１４９は、偏光軸の方向が偏光板１７ｂの透過軸の方向１４３に対して直交しているため、偏光板１７ｂによって吸収される。
【００７２】
表示装置１では、ＴＦＴ素子７１がＯＦＦ状態のときに液晶パネル１１から表示面９側に光が射出され、ＴＦＴ素子７１がＯＮ状態のときに液晶パネル１１からの光の射出が遮断される所謂ノーマリホワイトの表示モードが採用されている。しかしながら、表示モードは、ノーマリホワイトに限定されず、ノーマリブラックも採用され得る。
【００７３】
図１１（ａ）は、シャッタパネル１３がＯＦＦ状態のときの偏光状態を示す図であり、図１１（ｂ）は、シャッタパネル１３がＯＮ状態のときの偏光状態を示す図である。
表示装置１では、偏光板１７ｃの透過軸の方向１５３は、図１１（ａ）及び図１１（ｂ）に示すように、平面視でＹ'方向に沿っている。配向膜１０１の配向方向１５５は、平面視でＸ'方向に沿っている。配向膜１０７の配向方向１５７は、平面視でＹ'方向に沿っている。
【００７４】
液晶パネル１１から偏光板１７ｂを介してシャッタパネル１３に入射された直線偏光１５１は、シャッタパネル１３がＯＦＦ状態のときに、図１１（ａ）に示すように、液晶３５の旋光性によってＹ'方向に沿った偏光軸を有する直線偏光１５９として偏光板１７ｃに向けて射出される。偏光板１７ｃに向けて射出された直線偏光１５９は、偏光軸の方向が偏光板１７ｃの透過軸の方向１５３に沿っているため、偏光板１７ｃを透過する。
【００７５】
他方で、シャッタパネル１３がＯＮ状態のときに、直線偏光１５１は、図１１（ｂ）に示すように、偏光状態が維持されたまま直線偏光１５１として偏光板１７ｃに向けて射出される。偏光板１７ｃに向けて射出された直線偏光１５１は、偏光軸の方向が偏光板１７ｃの透過軸の方向１５３に対して直交しているため、偏光板１７ｃによって吸収される。
【００７６】
表示装置１では、液晶パネル１１から表示面９側に向けて射出された光は、シャッタパネル１３がＯＮ状態のとき、シャッタパネル１３によって遮断される。また、液晶パネル１１から表示面９側に向けて射出された光は、シャッタパネル１３がＯＦＦ状態のとき、シャッタパネル１３を通過することができる。つまり、シャッタパネル１３は、ＯＮ状態のときに、液晶パネル１１から表示面９側に向けて射出された光を遮断する遮断状態となる。また、シャッタパネル１３は、ＯＦＦ状態のときに、液晶パネル１１から表示面９側に向けて射出された光を通過させる通過状態となる。
【００７７】
ここで、表示装置１は、前述したように、シャッタパネル１３よりも表示面９側に、シャッタ群１２５ごとにシリンドリカルレンズ１９が設けられたレンズアレイ基板１５を有している。照明装置５から各画素７に入射された光は、シャッタパネル１３を経て、レンズアレイ基板１５の各シリンドリカルレンズ１９から表示面９側に向けて射出される。
第１シャッタ１２１が通過状態で、第２シャッタ１２３が遮断状態であるとき、各画素７から射出された光のうちで第１シャッタ１２１に至る光１６１ａは、図１２に示すように、第１シャッタ１２１を通過してから、各シリンドリカルレンズ１９を経て第１の範囲１６３に及ぶ。このとき、各画素７から射出された光のうちで第２シャッタ１２３に至る光１６１ｂは、第２シャッタ１２３によって遮断される。
【００７８】
第２シャッタ１２３が通過状態で、第１シャッタ１２１が遮断状態であるとき、各画素７から射出された光のうちで第２シャッタ１２３に至る光１６１ｂは、図１３に示すように、第２シャッタ１２３を通過してから、各シリンドリカルレンズ１９を経て第２の範囲１６５に及ぶ。このとき、各画素７から射出された光のうちで第１シャッタ１２１に至る光１６１ａは、第１シャッタ１２１によって遮断される。
第１の範囲１６３は、各シリンドリカルレンズ１９を介して、第１シャッタ１２１が視認される範囲である。また、第２の範囲１６５は、各シリンドリカルレンズ１９を介して、第２シャッタ１２３が視認される範囲である。
【００７９】
第１シャッタ１２１が通過状態で、第２シャッタ１２３が遮断状態であるとき、第１の範囲１６３からは、各シリンドリカルレンズ１９を介して各画素７からの光１６１ａが視認され得る。
第２シャッタ１２３が通過状態で、第１シャッタ１２１が遮断状態であるとき、第２の範囲１６５からは、各シリンドリカルレンズ１９を介して各画素７からの光１６１ｂが視認され得る。第１の範囲１６３内に視点があれば、複数の画素７からの光１６１ａによって形成される第１の画像が視認され得る。第２の範囲１６５内に視点があれば、複数の画素７からの光１６１ｂによって形成される第２の画像が視認され得る。つまり、表示装置１では、第１の画像を第１の範囲１６３に表示し、第２の画像を、第１の範囲１６３とは異なる第２の範囲１６５に表示する所謂指向性表示を行うことができる。
【００８０】
表示装置１は、複数の画素７から射出された光１６１ａが第１の範囲１６３の両端のそれぞれにおいて交差し、複数の画素７から射出された光１６１ｂが第２の範囲１６５の両端のそれぞれにおいて交差するように構成されている。これは、Ｘ方向に隣り合う画素７同士間の間隔Ｐａを、Ｘ方向に隣り合う第１シャッタ１２１同士間（第２シャッタ１２３同士間）の間隔Ｐｂよりも長く設定し、且つＸ方向に隣り合うシリンドリカルレンズ１９同士間の間隔Ｐｃを間隔Ｐｂよりも短く設定することによって実現され得る。
これにより、第１の範囲１６３内にある任意の視点から視認される光の量を、複数の画素７間で同等にすることができる。同様に、第２の範囲１６５内にある任意の視点から視認される光の量を、複数の画素７間で同等にすることができる。
【００８１】
表示装置１では、第１の範囲１６３への第１の画像の表示と、第２の範囲１６５への第２の画像の表示とが、１フレームずつ交互に行われる。
図９に示すシャッタ制御部１３５は、シャッタパネル１３の第２電極９９ｂに駆動信号を供給する。これにより、第２シャッタ１２３がＯＮ状態すなわち遮断状態となる。このとき、第１電極９９ａには駆動信号が供給されず、第１シャッタ１２１がＯＦＦ状態すなわち通過状態に保たれる。
【００８２】
第１シャッタ１２１が通過状態で、第２シャッタ１２３が遮断状態のときに、画像制御部１３３は、液晶パネル１１のゲート線Ｔ（１）から順次、各ゲート線Ｔにゲート信号を供給する。これにより、複数の画素７は、画素行５３単位でＴＦＴ素子７１がＯＮ状態になる。このとき、画像制御部１３３は、各ゲート線Ｔに順次ゲート信号を供給するたびに、第１の画像における各画素行５３に対応するソース信号を、画素行５３単位で複数のソース線Ｓに供給する。これにより、複数の画素７は、画像の表示が画素行５３単位で第１の画像に切り替えられる。
これにより、１フレーム分の第１の画像の表示が行われる。
【００８３】
１フレーム分の第１の画像の表示を行った後に、シャッタ制御部１３５は、第２電極９９ｂへの駆動信号の供給を停止し、第１電極９９ａに駆動信号を供給する。これにより、第１シャッタ１２１が遮断状態となり、第２シャッタ１２３が通過状態となる。
【００８４】
第２シャッタ１２３が通過状態で、第１シャッタ１２１が遮断状態のときに、画像制御部１３３は、液晶パネル１１のゲート線Ｔ（１）から順次、各ゲート線Ｔにゲート信号を供給する。これにより、複数の画素７は、画素行５３単位でＴＦＴ素子７１がＯＮ状態になる。このとき、画像制御部１３３は、各ゲート線Ｔに順次ゲート信号を供給するたびに、第２の画像における各画素行５３に対応するソース信号を、画素行５３単位で複数のソース線Ｓに供給する。これにより、複数の画素７は、画像の表示が画素行５３単位で第２の画像に切り替えられる。
これにより、１フレーム分の第２の画像の表示が行われる。
表示装置１では、上記の処理を反復して実施することにより、第１の画像と第２の画像とが、１フレームずつ交互に表示され得る。
【００８５】
表示装置１では、シリンドリカルレンズ１９が光学素子に対応し、画素行５３が画素配列に対応し、Ｘ方向が第１方向に対応している。
表示装置１では、複数の画素が第１の画像と第２の画像とに区分されないので、画素密度を高めやすくすることができる。この結果、第１の画像及び第２の画像のそれぞれの表示における解像度を高めやすくすることができ、指向性表示のそれぞれの表示品位を向上させやすくすることができる。
【００８６】
なお、表示装置１では、複数の画素７が、図３に示すように、Ｘ方向及びＹ方向のそれぞれの方向に沿ってマトリクス状に配列した場合を例に説明したが、複数の画素７の配列はこれに限定されない。複数の画素７の配列は、例えば、図１４に示すように、Ｙ方向に対してシグザグに並んだ配列も採用され得る。この場合、レンズアレイ基板１５の各シリンドリカルレンズ１９は、図１５に示すように、各画素７に対応して設けられる。また、シャッタパネル１３の第１電極９９ａと第２電極９９ｂとは、図１６に示すように、Ｘ方向に交互に並んでいるとともに、Ｙ方向にも交互に並んでいる。そして、Ｘ方向における第１電極９９ａと第２電極９９ｂとの並び順は、複数の画素７間で統一されている。
【００８７】
従って、複数の第１電極９９ａ及び複数の第２電極９９ｂは、それぞれＹ方向に対してジグザグに並んでいる。このため、シャッタパネル１３では、複数の第１シャッタ１２１及び複数の第２シャッタ１２３が、それぞれ平面視でＹ方向に対してジグザグに並んでいる。
複数の第１電極９９ａは、第１配線１１９ａを介して互いにつながっている。複数の第２電極９９ｂは、第２配線１１９ｂを介して互いにつながっている。これにより、複数の第１シャッタ１２１と、複数の第２シャッタ１２３とが互いに独立して駆動され得る。
【００８８】
複数の画素７がＹ方向に対してジグザグに並んだ構成では、複数の画素７がＹ方向に沿って並んだ構成に比較して、隣り合う画素行５３同士間で平面視で斜めに隣り合う画素７同士間の距離を短くすることができる。これにより、複数の画素７がＹ方向に対してジグザグに並んだ構成では、第１の画像及び第２の画像のそれぞれの表示における斜め方向の解像度を高めやすくすることができ、指向性表示のそれぞれの表示品位を一層向上させやすくすることができる。
なお、複数の画素７がＹ方向に対してジグザグに並んだ構成では、Ｙ方向が第１方向とは直交する方向に対応している。
【００８９】
また、表示装置１では、各シャッタ群１２５が第１シャッタ１２１及び第２シャッタ１２３の２つのシャッタを有する場合を例に説明したが、各シャッタ群１２５が有するシャッタの数はこれに限定されない。各シャッタ群１２５が有するシャッタの数は、３つ以上の任意の数が採用され得る。
【００９０】
また、表示装置１における指向性表示の方法では、第１の画像と第２の画像とを１フレームずつ交互に表示する場合を例に説明したが、指向性表示の方法は、これに限定されない。指向性表示の方法としては、第１シャッタ１２１及び第２シャッタ１２３のいずれか一方だけを通過状態に維持したまま画像を表示させる方法も採用され得る。この場合、例えば、第１シャッタ１２１だけを通過状態に維持したまま画像を表示させれば、第２の範囲１６５に対する画像の表示を抑制することができる。つまり、表示画像に対する視野角を限定することができる。
【００９１】
また、表示装置１では、液晶２５及び液晶３５のそれぞれがＴＮ型である場合を例に説明したが、液晶２５及び液晶３５はこれに限定されず、ＦＦＳ（Fringe Field Switching）型、ＩＰＳ（In Plane Switching）型、ＶＡ（Vertical Alignment）型等の種々の型が採用され得る。
【００９２】
上述した表示装置１は、例えば、図１７に示す電子機器５００の表示部５１０に適用され得る。この電子機器５００は、カーナビゲーションシステム用の表示機器である。電子機器５００では、表示装置１が適用された表示部５１０によって、例えば、運転席側から第１の画像として地図などの画像が視認され、助手席側から第２の画像として映画などの画像が視認され得る。
また、表示部５１０として表示装置１が適用されているので、指向性表示における第１の画像及び第２の画像のそれぞれの表示における解像度を高めやすくすることができ、指向性表示のそれぞれの表示品位を向上させやすくすることができる。
なお、電子機器５００としては、カーナビゲーションシステム用の表示機器に限られず、携帯電話機、モバイルコンピュータ、デジタルスチルカメラ、デジタルビデオカメラ、車載機器、オーディオ機器等の種々の電子機器が挙げられる。
【図面の簡単な説明】
【００９３】
【図１】本発明の実施形態における表示装置の主要構成を示す分解斜視図。
【図２】図１中のＡ−Ａ線における断面図。
【図３】実施形態における複数の画素の一部を示す平面図。
【図４】図３中のＣ−Ｃ線における断面図。
【図５】図４中のＤ−Ｄ線における断面図。
【図６】実施形態におけるレンズアレイ基板を示す平面図。
【図７】実施形態におけるシャッタ電極を示す平面図。
【図８】実施形態における駆動素子基板の等価回路図。
【図９】実施形態における表示装置の主要構成を示すブロック図。
【図１０】実施形態における表示装置の液晶パネルでの偏光状態を説明する図。
【図１１】実施形態における表示装置のシャッタパネルでの偏光状態を説明する図。
【図１２】実施形態における表示装置の液晶パネル及びシャッタパネル並びにレンズアレイ基板を模式的に示す断面図。
【図１３】実施形態における表示装置の液晶パネル及びシャッタパネル並びにレンズアレイ基板を模式的に示す断面図。
【図１４】実施形態における複数の画素の配列の他の例を示す平面図。
【図１５】実施形態におけるレンズアレイ基板の別の構成例を示す平面図。
【図１６】実施形態における表示装置の他の例における第１電極及び第２電極の配置を示す平面図。
【図１７】実施形態における表示装置を適用した電子機器の斜視図。
【図１８】従来技術を説明する断面図。
【符号の説明】
【００９４】
１…表示装置、３…表示パネル、５…照明装置、６…制御部、７…画素、８…表示領域、９…表示面、１１…液晶パネル、１３…シャッタパネル、１５…レンズアレイ基板、１９…シリンドリカルレンズ、２５…液晶、２７…底面、３１…シャッタ電極基板、３３…対向基板、３５…液晶、５１…画素列、５３…画素行、９７…第３基板、９９…シャッタ電極、９９ａ…第１電極、９９ｂ…第２電極、１０３…第４基板、１０５…共通電極、１１９ａ…第１配線、１１９ｂ…第２配線、１２１…第１シャッタ、１２３…第２シャッタ、１２５…シャッタ群、１３１…光源制御部、１３３…画像制御部、１３５…シャッタ制御部、５００…電子機器、５１０…表示部、Ｍ…マトリクス、Ｓ…ソース線、Ｔ…ゲート線。
【図１】
0005464634.tif 000002
【図２】
0005464634.tif 000003
【図３】
0005464634.tif 000004
【図４】
0005464634.tif 000005
【図５】
0005464634.tif 000006
【図６】
0005464634.tif 000007
【図７】
0005464634.tif 000008
【図８】
0005464634.tif 000009
【図９】
0005464634.tif 000010
【図１０】
0005464634.tif 000011
【図１１】
0005464634.tif 000012
【図１２】
0005464634.tif 000013
【図１３】
0005464634.tif 000014
【図１４】
0005464634.tif 000015
【図１５】
0005464634.tif 000016
【図１６】
0005464634.tif 000017
【図１７】
0005464634.tif 000018
【図１８】
0005464634.tif 000019